(57)【要約】アップリンク信号の検出を改善するシステムおよび方法であって、モバイル装置が、ネットワークノードから当該装置宛てのパケットの存在を示す伝送信号を検出した場合、上記モバイル装置は、当該パケットに対する標準のＡＣＫ/ＮＡＣＫ信号を送信する直前のサブフレームにおいて、１つ以上のＮＡＣＫ信号の送信が可能となる。これに加えて、当該モバイル装置は、標準のＡＣＫ/ＮＡＣＫ信号の直後のサブフレームにおいて、１つ以上のＮＡＣＫ信号の送信が可能となる。但し、パケットが、直後のサブフレームにおいて送信され、そして、モバイル装置によって正常にデコードされた場合を除く。この結果、余計なアップリンク（ＵＬ）干渉が除去され、更には、ネットワークノードが、ＡＣＫ/ＮＡＣＫ信号判定の閾値を補正するために必要な量が、顕著に減少される。そして、モバイル装置が必要とするＡＣＫ信号の送信電力が節減される。
2006515139.tif 000002
【特許請求の範囲】
【請求項１】
ネットワーク内のモバイル装置の送信電力を節減する方法であって、
制御チャネルのサブフレームにおいて、ネットワークノードからモバイル装置に宛てた制御情報を、検出するステップと、
アップリンクチャネルのサブフレーム内のフィードバック情報に割り当てられているスロットにおいて、前記制御チャネルのサブフレームに先行している制御チャネルのサブフレームを処理したフィードバックの情報結果として、アクノリッジ（ＡＣＫ）またはネガティブアクノリッジ（ＮＡＣＫ）信号が送信されない場合に、前記制御情報に関連するダウンリンクチャネルのデータに対するアクノリッジ（ＡＣＫ）信号またはネガティブアクノリッジ（ＮＡＣＫ）信号の送信に関して規定されている、アップリンクチャネルのサブフレームの直前のサブフレームにおけるフィードバック情報に割り当てられているスロットにおいて、ネガティブアクノリッジ（ＮＡＣＫ）信号を送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が、検出されるか否かを判定し、当該制御情報が検出されない場合には、前記次の有効な制御チャネルのサブフレームに対応するアップリンクチャネルサブフレームのフィードバック情報に割り当てられているスロットにおいて、任意の信号を送信するステップと、を有することを特徴とするネットワーク内のモバイル装置の送信電力を節減する方法。
【請求項２】
前記制御チャネルが、高速共有制御チャネル（ＨＳ−ＳＣＣＨ）を有している請求項１に記載の方法。
【請求項３】
前記フィードバック情報が、ハイブリッド自動繰り返し要求のアクノリッジ（ＨＡＲＱ−ＡＣＫ）を含んでいる請求項１に記載の方法。
【請求項４】
前記アップリンクチャネルが、高速専用の物理的制御チャネル（ＨＳ−ＤＰＣＣＨ）を有している請求項１に記載の方法。
【請求項５】
前記ダウンリンクチャネルが、高速ダウンリンク共有チャネル（ＨＳ−ＤＳＣＨ）を有している請求項１に記載の方法。
【請求項６】
前記方法が、更に、特定の状況が存在しているか否かを判定し、前記特定の状況が存在している場合には、前記モバイル装置宛ての制御情報が、次の有効な制御チャネルのサブフレームにおいて検出されるか否かを判定し、前記制御情報が検出されない場合には、前記次の有効な制御チャネルのサブフレームに対応するアップリンクチャネルのサブフレーム内のフィードバック情報に割り当てられているスロットにおいて、ネガティブアクノリッジ（ＮＡＣＫ）信号を送信するステップを有する請求項１に記載の方法。
【請求項７】
前記の特定の状況は、前記モバイル装置に複数の無線リンクが割り当てられ、ソフトハンドオーバー（ＳＨＯ）の状態にある場合、送信電力が最大に到達した場合、サイト選定ダイバーシティ（ＳＳＤＴ）伝送信号が高速ダウンリンク・パケット・アクセス（ＨＳＤＰＡ）のサービスしているセルが非優先であることを示す場合、発生し得る最悪のデータ転送速度/オフセットのチャンネル品質表示（ＣＱＩ）を検出した場合、およびソフトハンドオーバー（ＳＨＯ）の領域における電力制御判定と高速ダウンリンク・パケット・アクセス（ＨＳＤＰＡ）がサービスしているセルからの電力制御命令との間に、一定期間にわたって不一致が存在している場合の中の、少なくとも１つの場合を含んでいる請求項６に記載の方法。
【請求項８】
前記スロットが、所定の送信時間間隔（ＴＴＩ）を有している請求項１に記載の方法。
【請求項９】
前記モバイル装置が、携帯電話機である請求項１に記載の方法。
【請求項１０】
前記ネットワークノードが、無線リソースコントローラ（ＲＲＣ）またはベーシックステーションコントローラ（ＢＳＣ）のいずれか一方を有している請求項１に記載の方法。
【請求項１１】
ＤＴＸモード信号が、１に等しい請求項１に記載の方法。
【請求項１２】
アクノリッジ/ネガティブアクノリッジ（ＡＣＫ/ＮＡＣＫ）信号の送信回数ｎが、１に等しい請求項１に記載の方法。
【請求項１３】
前記ネットワークが、無線アクセスネットワーク（ＲＡＮ）を有している請求項１に記載の方法。
【請求項１４】
前記ネットワークノードが、ハイブリッド自動繰り返し要求のアクノリッジ（ＨＡＲＱ−ＡＣＫ）のサブフレームにおける連続的なＤＴＸ送信を検出する必要性を回避し、これによって、前記モバイル装置において必要なアクノリッジ（ＡＣＫ）信号の送信電力の節減を可能にする請求項１に記載の方法。
【請求項１５】
前記方法が、更に、前記ネットワークノードによって、付加的な確認応答の信号を送信するステップおよび前記モバイル装置宛ての制御情報が検出されるか否かを判定するステップを実行するか否かを、前記モバイル装置に指示するステップを有する請求項１に記載の方法。
【請求項１６】
前記方法が、更に、前記ネットワークノード装置によって、前記モバイル装置がソフトハンドオーバーの領域内にある場合には、前記付加的な確認応答の信号を送信するステップおよび前記モバイル装置宛ての制御情報が検出されるか否かを判定するステップを実行するように、前記モバイル装置宛てに指示するステップを有する１５に記載の方法。
【請求項１７】
ネットワーク内のモバイル装置の送信電力を節減する方法であって、
制御チャネルのサブフレームにおいて、ネットワークノードからモバイル装置に宛てた制御情報を、検出するステップと、
アクノリッジ/ネガティブアクノリッジ（ＡＣＫ/ＮＡＣＫ）信号の送信回数ｎが１より大きいか否かを判定し、送信回数が１より大きい場合、前記制御チャネルのサブフレームの直前に先行する制御チャネルのサブフレーム、または前記先行する制御チャネルのサブフレームに先行している制御チャネルのサブフレームを処理する、フィードバックの情報結果に割り当てられているスロットに、確認応答の送信信号の発生がないとき、前記制御情報に関連するダウンリンクチャネルデータの確認応答用信号の送信に関して規定されている、アップリンクチャネルのサブフレームの直前における２つの先行するアップリンクチャネルのサブフレームにおける、フィードバック情報に割り当てられている２つのスロットにおいて、ネガティブアクノリッジ（ＮＡＣＫ）信号を送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が検出されるか否かを判定し、前記モバイル装置宛ての制御情報が検出されない場合には、前記次の有効な制御チャネルのサブフレームに対応するアップリンクチャネルのサブフレームから開始される、ｎ個のサブフレームの各々におけるフィードバック情報に割り当てられているスロットにおいて、ネガティブアクノリッジ（ＮＡＣＫ）信号を送信するステップと、を有することを特徴とするネットワーク内のモバイル装置の送信電力を節減する方法。
【請求項１８】
前記制御チャネルが、高速共有制御チャネル（ＨＳ−ＳＣＣＨ）を有している請求項１７に記載の方法。
【請求項１９】
前記フィードバック情報が、ハイブリッド自動繰り返し要求のアクノリッジ（ＨＡＲＱ−ＡＣＫ）を含んでいる請求項１７に記載の方法。
【請求項２０】
前記アップリンクチャネルが、高速専用の物理的制御チャネル（ＨＳ−ＤＰＣＣＨ）を有している請求項１７記載の方法。
【請求項２１】
前記ダウンリンクチャネルが、高速ダウンリンク共有チャネル（ＨＳ−ＤＳＣＨ）を有している請求項１７記載の方法。
【請求項２２】
前記方法が、更に、特定の状況が存在しているか否かを判定し、前記特定の状況が存在している場合には、ＤＴＸモード信号が１であるか否かを判定し、前記モード信号が１に等しい場合には、前記モバイル装置宛ての制御情報が、前記モバイル装置宛ての制御情報が検出されたサブフレームに後続する次の有効な制御チャネルのサブフレームにおいて検出されるか否かを判定し、当該制御情報が検出された場合には、前記次の有効な制御チャネルのサブフレームに対応するアップリンクチャネルのサブフレームから開始される、ｎ個のサブフレームの各々におけるフィードバック情報に割り当てられているスロットにおいて、ネガティブアクノリッジ（ＮＡＣＫ）信号を送信するステップを有す請求項１７に記載の方法。
【請求項２３】
前記の特定の状況は、前記モバイル装置に複数の無線リンクが割り当てられ、ソフトハンドオーバー（ＳＨＯ）の状態にある場合、送信電力が最大に到達した場合、サイト選定ダイバーシティ（ＳＳＤＴ）伝送信号が高速ダウンリンク・パケット・アクセス（ＨＳＤＰＡ）のサービスしているセルが非優先であることを示す場合、発生し得る最悪のデータ転送速度/オフセットのチャンネル品質表示（ＣＱＩ）を検出した場合、およびソフトハンドオーバー（ＳＨＯ）の領域における電力制御判定と高速ダウンリンク・パケット・アクセス（ＨＳＤＰＡ）がサービスしているセルからの電力制御命令との間に、一定期間にわたって不一致が存在している場合の中の、少なくとも１つの場合を含んでいる請求項２２に記載の方法。
【請求項２４】
前記スロットが、所定の送信時間間隔（ＴＴＩ）を有している請求項１７に記載の方法。
【請求項２５】
前記モバイル装置が、携帯電話機である請求項１７に記載の方法。
【請求項２６】
前記ネットワークノードが、無線リソースコントローラ（ＲＲＣ）またはベーシックステーションコントローラ（ＢＳＣ）のいずれか一方を有している請求項１７に記載の方法。
【請求項２７】
ＤＴＸモード信号が、１に等しい請求項１７に記載の方法。
【請求項２８】
前記ネットワークが、無線アクセスネットワーク（ＲＡＮ）を有している請求項１７に記載の方法。
【請求項２９】
前記ネットワークノードが、ハイブリッド自動繰り返し要求のアクノリッジ（ＨＡＲＱ−ＡＣＫ）のサブフレームにおける連続的なＤＴＸ送信を検出する必要性を回避し、これによって、前記モバイル装置において必要なアクノリッジ（ＡＣＫ）信号の送信電力の節減を可能にする請求項１７に記載の方法。
【請求項３０】
前記方法が、更に、前記ネットワークノードによって、付加的な確認応答の信号を送信するステップおよび前記モバイル装置宛ての制御情報が検出されるか否かを判定するステップを実行するか否かを、前記モバイル装置に指示するステップを有する請求項１７に記載の方法。
【請求項３１】
前記方法が、更に、前記ネットワークノードによって、前記モバイル装置がソフトハンドオーバーの領域内にある場合に、前記付加的な確認応答の信号を送信するステップおよび前記モバイル装置宛ての制御情報が検出されるか否かを判定するステップを実行するように、前記モバイル装置に指示するステップを有している請求項３０に記載の方法。
【請求項３２】
ネットワーク内のモバイル装置の送信電力を節減するシステムであって、
前記ネットワークに対し、動作可能に接続されており、制御チャネルのサブフレームにおいて、制御信号を少なくとも１つのモバイル装置に送信すると共に、ダウンリンクチャネルのサブフレームにおいて、関連するデータを少なくとも１つのモバイル装置に送信するネットワーク装置であるネットワークノードと、
前記ネットワークに対し動作可能に接続されており、前記モバイル装置宛ての制御チャネルのサブフレームにおいて、制御情報を検出するモバイル装置とを有しており、
前記モバイル装置は、
アップリンクチャネルのサブフレーム内のフィードバック情報に割り当てられているスロットにおいて、前記制御チャネルのサブフレームに先行している制御チャネルのサブフレームを処理したフィードバックの情報結果として、アクノリッジ（ＡＣＫ）信号またはネガティブアクノリッジ（ＮＡＣＫ）信号が送信されない場合に、前記制御情報に関連するダウンリンクチャネルのデータに対するアクノリッジ（ＡＣＫ）信号またはネガティブアクノリッジ（ＮＡＣＫ）信号の送信に関して規定されている、アップリンクチャネルのサブフレームの直前のサブフレームにおけるフィードバック情報に割り当てられているスロットにおいて、ネガティブアクノリッジ（ＮＡＣＫ）信号を前記ネットワークノードに送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を前記ネットワークノードに送信するステップと、
前記モバイル装置宛ての制御情報が検出されたサブフレームに後続する、次の有効な制御チャネルのサブフレームにおいて、前記モバイル装置宛ての制御情報が検出されるか否かを判定し、当該制御情報が検出されない場合には、前記次の有効な制御チャネルのサブフレームに対応するアップリンクチャネルのサブフレームのフィードバック情報に割り当てられているスロットにおいて、任意の信号を前記ネットワークノードに送信するステップと、を実行することを特徴とするネットワーク内のモバイル装置の送信電力を節減するシステム。
【請求項３３】
前記制御チャネルが、高速共有制御チャネル（ＨＳ−ＳＣＣＨ）を有している請求項３２に記載のシステム。
【請求項３４】
前記フィードバック情報が、ハイブリッド自動繰り返し要求のアクノリッジ（ＨＡＲＱ−ＡＣＫ）を含んでいる請求項３２に記載のシステム。
【請求項３５】
前記アップリンクチャネルが、高速専用の物理的制御チャネル（ＨＳ−ＤＰＣＣＨ）を有している請求項３２に記載のシステム。
【請求項３６】
前記ダウンリンクチャネルが、高速ダウンリンク共有チャネル（ＨＳ−ＤＳＣＨ）を有している請求項３２に記載のシステム。
【請求項３７】
ネットワーク内のモバイル装置の送信電力を節減するシステムであって、
ネットワークノードであって、前記ネットワークに対し動作可能に接続されており、制御チャネルのサブフレームにおいて、制御信号を少なくとも１つのモバイル装置に対して送信すると共に、ダウンリンクチャネルのサブフレームにおいて、関連するデータを少なくとも１つのモバイル装置に送信するネットワーク装置であるネットワークノードと、
前記ネットワークに対し動作可能に接続されており、制御チャネルのサブフレームにおいて、ネットワークノードからモバイル装置宛ての制御情報を検出するモバイル装置と
を有しており、
アクノリッジ/ネガティブアクノリッジ（ＡＣＫ/ＮＡＣＫ）信号の送信回数ｎが１より大きいか否かを判定し、前記送信回数が１より大きい場合、前記制御チャネルのサブフレームの直前の先行する制御チャネルのサブフレーム、または前記先行する制御チャネルのサブフレームに先行している制御チャネルのサブフレームを処理する、フィードバックの情報結果として割り当てられているスロットに、確認応答の送信信号の発生がないとき、前記制御情報に関連するダウンリンクチャネルのデータの確認応答用信号の送信に規定されている、アップリンクチャネルのサブフレームの直前における２つの先行するアップリンクチャネルのサブフレームにおける、フィードバック情報に割り当てられている２つのスロットにおいて、ネガティブアクノリッジ（ＮＡＣＫ）信号を送信するステップと、
前記モバイル装置において、前記制御情報により示されている前記ダウンリンクチャネルデータを受信し、前記ダウンリンクチャネルデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が、検出されるか否かを判定し、前記制御情報が検出されない場合には、前記次の有効な制御チャネルのサブフレームに対応するアップリンクチャネルのサブフレームから開始される、ｎ個のサブフレームの各々におけるフィードバック情報に割り当てられているスロットにおいて、ネガティブアクノリッジ（ＮＡＣＫ）信号を送信するステップと、を実行することを特徴とするネットワーク内のモバイル装置の送信電力を節減するシステム。
【請求項３８】
前記制御チャネルが、高速共有制御チャネル（ＨＳ−ＳＣＣＨ）を有している請求項３７に記載のシステム。
【請求項３９】
前記フィードバック情報が、ハイブリッド自動繰り返し要求のアクノリッジ（ＨＡＲＱ−ＡＣＫ）を含んでいる請求項３７に記載のシステム。
【請求項４０】
前記アップリンクチャネルが、高速専用の物理的制御チャネル（ＨＳ−ＤＰＣＣＨ）を有している請求項３７に記載のシステム。
【請求項４１】
前記ダウンリンクチャネルが、高速ダウンリンク共有チャネル（ＨＳ−ＤＳＣＨ）を有している請求項３７に記載のシステム。
【請求項４２】
内部に命令を格納している記憶媒体を有するモバイル装置であって、前記命令は、実行される際に、前記モバイル装置に、
制御チャネルのサブフレームにおいて、ネットワークノードから前記モバイル装置宛ての制御情報を検出するステップと、
アップリンクチャネルのサブフレーム内のフィードバック情報に割り当てられているスロットにおいて、前記制御チャネルのサブフレームに先行している制御チャネルのサブフレームを処理したフィードバックの情報結果として、アクノリッジ（ＡＣＫ）信号またはネガティブアクノリッジ（ＮＡＣＫ）信号が送信されない場合に、前記制御情報に関連するダウンリンクチャネルのデータに対するアクノリッジ（ＡＣＫ）信号またはネガティブアクノリッジ（ＮＡＣＫ）信号の送信に関して規定されている、アップリンクチャネルのサブフレームの直前のサブフレームにおけるフィードバック情報に割り当てられているスロットにおいて、ネガティブアクノリッジ（ＮＡＣＫ）信号を送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が検出されるか否かを判定し、当該制御情報が検出されない場合には、前記次の有効な制御チャネルのサブフレームに対応するアップリンクチャネルのサブフレーム内のフィードバック情報に割り当てられているスロットにおいて、任意の信号を送信するステップと、を実行させることを特徴とするモバイル装置。
【請求項４３】
前記制御チャネルが、高速共有制御チャネル（ＨＳ−ＳＣＣＨ）を有している請求項４２に記載のモバイル装置。
【請求項４４】
前記フィードバック情報が、ハイブリッド自動繰り返し要求のアクノリッジ（ＨＡＲＱ−ＡＣＫ）を含んでいる請求項４２に記載のモバイル装置。
【請求項４５】
前記アップリンクチャネルが、高速専用の物理的制御チャネル（ＨＳ−ＤＰＣＣＨ）を有している請求項４２に記載のモバイル装置。
【請求項４６】
前記ダウンリンクチャネルが、高速ダウンリンク共有チャネル（ＨＳ−ＤＳＣＨ）を有している請求項４２に記載のモバイル装置。
【請求項４７】
前記モバイル装置が、携帯電話機である請求項４２に記載のモバイル装置。
【請求項４８】
内部に命令を格納している記憶媒体を有するモバイル装置であって、前記命令は、実行される際に、前記モバイル装置に、
制御チャネルのサブフレームにおいて、ネットワークノードから前記モバイル装置に宛てた制御情報を、検出するステップと、
アクノリッジ/ネガティブアクノリッジ（ＡＣＫ/ＮＡＣＫ）信号の送信回数ｎが１より大きいか否かを判定し、前記送信回数が１より大きい場合、前記制御チャネルのサブフレームの直前の先行する制御チャネルのサブフレーム、または前記先行する制御チャネルのサブフレームに先行している制御チャネルのサブフレームを処理したフィードバックの情報結果として、アップリンクチャネルのサブフレームに割り当てられているスロットにおいて、確認応答の送信信号の発生がないとき、前記制御情報に関連するダウンリンクチャネルのデータの確認応答用信号に規定されているアップリンクチャネルのサブフレームの直前における２つの先行するアップリンクチャネルのサブフレームにおける、フィードバック情報に割り当てられている２つのスロットにおいて、ネガティブアクノリッジ（ＮＡＣＫ）信号を送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が、検出されるか否かを判定し、前記制御情報が検出されない場合には、前記次の有効な制御チャネルのサブフレームに対応するアップリンクチャネルのサブフレームから開始される、ｎ個のサブフレームの各々におけるフィードバック情報に割り当てられているスロットにおいて、ネガティブアクノリッジ（ＮＡＣＫ）信号を送信するステップと、を実行させることを特徴とするモバイル装置。
【請求項４９】
前記制御チャネルが、高速共有制御チャネル（ＨＳ−ＳＣＣＨ）を有している請求項４８に記載のモバイル装置。
【請求項５０】
前記フィードバック情報が、ハイブリッド自動繰り返し要求のアクノリッジ（ＨＡＲＱ−ＡＣＫ）を含んでいる請求項４８に記載のモバイル装置。
【請求項５１】
前記アップリンクチャネルが、高速専用の物理的制御チャネル（ＨＳ−ＤＰＣＣＨ）を有している請求項４８に記載のモバイル装置。
【請求項５２】
前記ダウンリンクチャネルが、高速ダウンリンク共有チャネル（ＨＳ−ＤＳＣＨ）を有している請求項４８に記載のモバイル装置。
【請求項５３】
前記モバイル装置が、携帯電話機である請求項４８に記載のモバイル装置。
【請求項５４】
命令を格納している記憶媒体を有するネットワークノードであって、前記命令は、実行される際に、前記ネットワークノードに
制御チャネルのサブフレームにおいて、モバイル装置宛ての制御情報を前記モバイル装置に送信するステップと、
前記制御情報に関連するダウンリンクチャネルのデータへのアクノリッジ（ＡＣＫ）信号またはネガティブアクノリッジ（ＮＡＣＫ）信号の受信に関して規定されているアップリンクチャネルのサブフレームの直前のアップリンクチャネルのサブフレームおいて、フィードバック情報に割り当てられているスロットで、前記モバイル装置からのネガティブアクノリッジ（ＮＡＣＫ）信号を受信するステップと、
前記制御情報により示されている前記ダウンリンクチャネルのデータを前記モバイル装置に送信し、前記ダウンリンクチャネルのデータの適切な受信結果に従って、前記モバイル装置からアクノリッジ（ＡＣＫ）信号またはネガティブアクノリッジ（ＮＡＣＫ）信号を受信するステップと、
前記モバイル装置が、前記モバイル装置宛ての制御情報が検出されたサブフレームに後続する次の有効な制御チャネルサブフレームにおいて、前記モバイル装置宛ての制御情報が検出されないと判定した場合に、前記次の有効な制御チャネルのサブフレームに対応するアップリンクチャネルのサブフレーム内のフィードバック情報に割り当てられているスロットにおいて、前記モバイル装置からのネガティブアクノリッジ（ＮＡＣＫ）信号を受信するステップと、を実行させることを特徴とするネットワークノード。
【請求項５５】
前記制御チャネルが、高速共有制御チャネル（ＨＳ−ＳＣＣＨ）を有している請求項５４に記載のネットワークノード。
【請求項５６】
前記フィードバック情報が、ハイブリッド自動繰り返し要求のアクノリッジ（ＨＡＲＱ−ＡＣＫ）を含んでいる請求項５４に記載のネットワークノード。
【請求項５７】
前記アップリンクチャネルが、高速専用の物理的制御チャネル（ＨＳ−ＤＰＣＣＨ）を有している請求項５４に記載のネットワークノード。
【請求項５８】
前記ダウンリンクチャネルが、高速ダウンリンク共有チャネル（ＨＳ−ＤＳＣＨ）を有している請求項５４に記載のネットワークノード。
【請求項５９】
前記ネットワークノードが、無線リソースコントローラ（ＲＲＣ）またはベーシックステーションコントローラ（ＢＳＣ）のいずれか一方を有している請求項５４に記載のネットワークノード。
【請求項６０】
前記モバイル装置が、携帯電話機である請求項５４に記載のネットワークノード。
【請求項６１】
内部に命令を格納している記憶媒体を有するネットワークノードであって、前記命令は、実行される際に、前記ネットワークノードに、
制御チャネルのサブフレームにおいて、モバイル装置宛ての制御情報を送信するステップと、
前記制御チャネルのサブフレームの直前の先行する制御チャネルサブフレームまたは前記先行する制御チャネルサブフレームに先行している制御チャネルのサブフレームを処理したフィードバックの情報結果として割り当てられているスロットにおいて、確認応答の送信信号の発生がないとき、かつ、アクノリッジ/ネガティブアクノリッジ（ＡＣＫ/ＮＡＣＫ）信号の送信回数ｎが１より大きい場合に、前記制御情報に関連するダウンリンクチャネルのデータに対する確認応答用信号の受信に関して規定されているアップリンクチャネルのサブフレームの直前における２つの先行するアップリンクチャネルのサブフレーム内のフィードバック情報に割り当てられている２つのスロットにおいて、前記モバイル装置からのネガティブアクノリッジ信号（ＮＡＣＫ信号）を受信するステップと、
前記制御情報により示されている前記ダウンリンクチャネルのデータを、前記モバイル装置に送信し、前記モバイル装置による前記ダウンリンクチャネルのデータの適切な受信結果に従って、アクノリッジ（ＡＣＫ）信号またはネガティブアクノリッジ（ＮＡＣＫ）信号を、前記モバイル装置から受信するステップと、
前記モバイル装置が、前記モバイル装置宛ての制御情報が検出されたサブフレームに後続する次の有効な制御チャネルのサブフレームにおいて、前記モバイル装置宛ての制御情報が検出されないと判定した場合に、前記次の有効な制御チャネルのサブフレームに対応する前記アップリンクチャネルのサブフレームから開始される、ｎ個のサブフレームの各々におけるフィードバック情報に割り当てられているスロットで、前記モバイル装置からのネガティブアクノリッジ信号（ＮＡＣＫ信号）を受信するステップと、を実行させることを特徴とするネットワークノード。
【請求項６２】
前記制御チャネルが、高速共有制御チャネル（ＨＳ−ＳＣＣＨ）を有している請求項６１に記載のネットワークノード。
【請求項６３】
前記フィードバック情報が、ハイブリッド自動繰り返し要求のアクノリッジ（ＨＡＲＱ−ＡＣＫ）を含んでいる請求項６１に記載のネットワークノード。
【請求項６４】
前記アップリンクチャネルが、高速専用の物理的制御チャネル（ＨＳ−ＤＰＣＣＨ）を有している請求項６１に記載のネットワークノード。
【請求項６５】
前記ダウンリンクチャネルが、高速ダウンリンク共有チャネル（ＨＳ−ＤＳＣＨ）を有している請求項６１に記載のネットワークノード。
【請求項６６】
前記モバイル装置が、携帯電話機である請求項６１に記載のネットワークノード。
【請求項６７】
前記ネットワークノードが、無線リソースコントローラ（ＲＲＣ）またはベーシックステーションコントローラ（ＢＳＣ）のいずれか一方を有している請求項６１に記載のネットワークノード。
【請求項６８】
ネットワークノード内におけるアップリンク信号の検出を改善する方法であって、前記方法は、
制御チャネルのサブフレームにおいて、モバイル装置宛ての制御情報を前記モバイル装置に送信するステップと、
前記制御情報と関連するダウンリンクチャネルのデータに対するアクノリッジ（ＡＣＫ信号）信号またはネガティブアクノリッジ（ＮＡＣＫ）信号の受信に関して規定されている、アップリンクチャネルのサブフレームの直前のサブフレーム内のフィードバック情報に割り当てられているスロットにおいて、前記モバイル装置からのネガティブアクノリッジ（ＮＡＣＫ）信号を受信するステップと、
前記制御情報により示されている、前記ダウンリンクチャネルのデータを前記モバイル装置に送信し、前記モバイル装置による前記ダウンリンクチャネルのデータの適切な受信結果に従って、前記モバイル装置から、アクノリッジ（ＡＣＫ）信号またはネガティブアクノリッジ（ＮＡＣＫ）信号を受信するステップと、
前記モバイル装置が、前記モバイル装置宛ての制御情報が検出されたサブフレームに後続する次の有効な制御チャネルサブフレームにおいて、前記モバイル装置宛ての制御情報が検出されないと判定した場合に、前記次の有効な制御チャネルのサブフレームに対応するアップリンクチャネルのサブフレーム内のフィードバック情報に割り当てられているスロットにおいて、前記モバイル装置からのネガティブアクノリッジ（ＮＡＣＫ）信号を受信するステップと、を有することを特徴とするネットワークノード内におけるアップリング信号の検出を改善する方法。
【発明の詳細な説明】
【技術分野】
【０００１】
本発明は、ネットワーク内におけるパケット送信に関するものであり、更に詳しくは、ユニバーサル・モバイル・テレコミュニケーション・システム（ＵＭＴＳ）内のアップリンク（ＵＬ）パケット送信におけるネガティブアクノリッジ（ＮＡＣＫ）信号の繰返し動作に関連して、アップリンク信号の検出を改善すると共にアップリンク信号の電力節減を図るものである。
【背景技術】
【０００２】
現在、ユーザー装置（User Equipment 、以下ではＵＥと略記する）、例えばモバイル装置は、高速専用の物理的制御チャネル（high-speed dedicated physical control channel、以下ではＨＳ−ＤＰＣＣＨと略記する）上のアクノリッジ／ネガティブアクノリッジ信号（以下ではＡＣＫ/ＮＡＣＫ信号と略記する）の応答領域で、不連続送信（Discontinuous Transmission、以下ではＤＴＸと略記する）を使用することがある。ユーザー装置が、高速共有制御チャネル（high-speed shared control channel、以下ではＨＳ−ＳＣＣＨと略記する）からの伝送信号を正しく検出できない場合に、このＤＴＸを使用することになる。この場合に、ノードＢ（ネットワーク装置）は、上記ＤＴＸを誤ってＡＣＫ信号として誤検出することを回避するために、自身のＡＣＫ/ＮＡＣＫ信号判定の閾値を補正しなければならない。さもなければ、伝送パケットを消失するおそれがある。このようなノードＢによる処理対応のおかげで、ＡＣＫ信号応答のためにユーザー装置が必要とする送信電力が、著しく増大することになる。
【発明の開示】
【発明が解決しようとする課題】
【０００３】
フィリップス（Philips）社の先行技術文献「ＨＳ−ＤＰＣＣＨ応答で必要な電力の節減（Reduction of HS-DPCCH power requirements)：R1-02-0917」、「ＡＣＫ/ＮＡＣＫ信号伝送で必要な電力の改善(Improvement in power requirements for ＡＣＫ/ＮＡＣＫ signaling)：R1-01-1199」、および「ＡＣＫ/ＮＡＣＫ信号伝送で必要な電力を節減する方法に関する更なる改善の成果（Further results on methods for reducing the power required for ＡＣＫ/ＮＡＣＫ signaling)：R1-02-0042」は、本明細書を参照すればわかるように、本明細書にそのすべてが包含されている。より詳しくいえば、上記先行技術文献では、ＵＥが、高速ダウンリンク共有チャネル（high-speed downlink shared channel、以下ではＨＳ−ＤＳＣＨと略記する）のパケットを受信した後に、タイマを一定時間稼動させるために、すべてのＨＳ−ＤＰＣＣＨのサブフレームにおいて、ＮＡＣＫ信号の送信継続を実行すべきことが提案されている。このタイマの稼動中は、ノードＢが自身の検出閾値を補正する必要がなくなり、そして、上記タイマが稼動している期間中は、後続するパケットのＡＣＫ信号の電力を、格段に小さなものにすることができるとしている。しかしながら、この先行技術文献の方法では、タイマの稼動中に、ＨＳ−ＤＳＣＨのパケットが送信されないときは、余計なアップリンク（ＵＬ）干渉が生じるという点で不利である。また一方で、ＡＣＫ/ＮＡＣＫ信号、および更には、ＤＴＸの状態を個別に検出することが必要である場合には、ノードＢの検出の性能は、良好なものにならないであろう。
本発明の目的は、前述のような従来の方法の問題点を解決するために、アップリンク信号の検出を改善すると共に、アップリンク信号の電力節減を図る方法およびシステムを提供することにある。
【課題を解決するための手段】
【０００４】
上記目的を達成するために、本発明のアップリンク信号の検出を改善するシステムおよび方法においては、モバイル装置が、ネットワークノードから当該モバイル装置宛へのパケットの存在を示す伝送信号を検出した場合、上記モバイル装置は、当該パケットに対する標準のＡＣＫ/ＮＡＣＫ信号を送信するサブフレームの前のサブフレームにおいて、１つまたは複数のＮＡＣＫ信号を送信することを可能にする。これに加えて、当該モバイル装置は、標準のＡＣＫ/ＮＡＣＫ信号の直後のサブフレームにおいて、１つまたは複数のＮＡＣＫ信号を送信することを可能とする（但し、１つのパケットが、直後のサブフレームにおいて送信され、そして、モバイル装置によって正常にデコードされた場合を除く。この場合は、当然のことながらＡＣＫ信号が送信されることになるであろう）。この結果として、余計なアップリンク（ＵＬ）干渉が除去される。更には、ネットワークノードがＡＣＫ/ＮＡＣＫ信号判定の閾値を補正するために必要な量が、顕著に低減されることになる。この結果として、モバイル装置が必要とするＡＣＫ信号の電力が節減されることになる。
【発明を実施するための最良の形態】
【０００５】
以下、本発明を更に詳細に説明していく。その際に、添付した複数の図面を参照しながら本発明の説明を行うが、これらの添付画面は、本発明の具体的実施例として限定されるものではない。なお、これらの添付図面のいくつかの図において、前述した構成要素と同様のものについては、同一の参照符号を付して表すこととする。
【０００６】
本明細書に示されている詳細事項は、単なる一例であって、本発明の実施例について例示することを目的としたものである。添付図面に関連付けて、本発明の説明を行うことによって、本発明を実際に実施するための具体的方法が、当業者にとって、明らかになるであろう。
【０００７】
さらに、本発明があいまいにならないようにするために、本発明の構成をブロック図の形式で示すことが好ましい。また一方で、上記のようなブロック図による構成の実施例に関する詳細事項が、本発明が実施されるプラットフォーム（通信基盤）に大きく依存するという事実（すなわち、上記詳細事項が、充分当業者の理解範囲内に入っているという事実）からしても、本発明の構成をブロック図の形式で示すことが好ましい。当業者であれば充分に理解して戴けるであろう。そしてここでは、本発明の実施例を説明するために、特定の詳細事項（例えば、回路、フローチャート）についても記述しているので、当業者は、上記特定の詳細事項を別途確認することなく、本発明を実施できることが明らかになるであろう。最終的に、ハードウェア配線回路およびソフトウェア命令の任意の組み合わせを使用することにより、本発明の実施例が実現可能になること、即ち、本発明が、ハードウェア回路およびソフトウェア命令の特定の組み合わせに限定されるものでないことは、明らかであろう。
【０００８】
また一方で、本発明の実施例については、一例であるホストユニット環境における例示的なシステムブロック図を使用して説明しているが、本発明の実施は、これに限定されるものではない。即ち、本発明は、その他のタイプのシステムと一緒でも、または、その他のタイプの環境においても実施可能である。
【０００９】
さらに、本明細書における「一実施例」または「一つの実施例」という用語は、その実施例との関連で記述されている特定の機能、構造、または特徴が、本発明の少なくとも１つの実施例に含まれることを意味するものである。そして、本明細書の様々な箇所に記載されている「一実施例において」という文言は、必ずしも、そのすべてが同一の実施例に関連するものではない。
【００１０】
ここでは、本発明について、ユニバーサル・モバイル・テレコミュニケーション・システム（ＵＭＴＳ）や、ＵＭＴＳ関連のネットワーク要素および専門用語に関係する実施例を使用して説明しているが、本発明は、このようなタイプのシステムまたはネットワークに限定されるものではなく、本発明の精神および範囲内に属する任意のシステムおよびネットワークに適用可能である。本発明の実施例は、モバイル装置（例えば、ＵＥ）からネットワークノード（例えば、ノードＢ）へ送信される付加的なＮＡＣＫ信号を判定する方法と当該ＮＡＣＫ信号を生成するタイミングに関するものである。この場合、本発明の実施例は、ノードＢの受信機におけるＤＴＸ検出を回避することにより、ノードＢにおける検出の性能を改善することを目的としている。本発明による実施例においては、この付加的なＮＡＣＫ信号のメッセージを制御することにより、従来の方法の機能を拡張するようにしている。このＮＡＣＫ信号のメッセージの制御は、端末（モバイル装置）が付加的に送信できるＮＡＣＫ信号のメッセージの数を決定することを可能にする。そして、どの程度の数のＮＡＣＫ信号のメッセージ数が送信されるかという点に関する基準においては、端末の能力を考慮することも可能である（例えば、送信時間間隔（ＴＴＩ）を到着パラメータとして、メッセージ数を挿入）。
【００１１】
従って、本発明の実施例においては、どのようなタイマも１サブフレームに限定することにより、余計なＵＬ干渉の生成を、実質的に除去することができる。換言すれば、ＵＥは、ダウンリンクチャネル（例えば、ＨＳ−ＤＳＣＨ）のパケットのＡＣＫ/ＮＡＣＫ信号に引き続いて、直後のサブフレームにおいてＮＡＣＫ信号を送信すべきである（但し、ダウンリンクのパケットが、次のサブフレームにおいて送信され、ＵＥによって正常にデコードされた場合を除く。なお、この場合には、当然のことながら、ＡＣＫ信号が送信されることになる）。これに加えて、ＵＥが、当該ＵＥ宛のダウンリンク（ＨＳ−ＤＳＣＨ）のパケットの存在を示すような制御チャネル（例えば、ＨＳ−ＳＣＣＨ）上の伝送信号を検出した場合には、上記ＵＥは、当該パケットに対する標準のハイブリッド自動繰り返し要求（Hybrid Automatic Repeat Request、以下ではＨＡＲＱと略記する）のＡＣＫ/ＮＡＣＫ信号を送信するサブフレームの前のアップリンクチャネル（例：ＨＳ−ＤＰＣＣＨ）のサブフレームにおいて、付加的なＮＡＣＫ信号を送信することができる。
【００１２】
本発明の実施例によれば、ＵＥが、ＨＳ−ＳＣＣＨ上の伝送信号の検出に失敗すると、上記ＵＥは、ＨＳ−ＤＰＣＣＨ上の２つの連続したサブフレームにおいて、ＤＴＸを実行することになる。従って、ノードＢがＤＴＸを誤検出する確率を２つのサブフレーム間に割り振ることができる。例えば、Ｐ（ＤＴＸ→ＡＣＫ）が０．０１であることを要求される場合（現在の方法では、一般にこのように仮定している。なお、ＤＴＸをＡＣＫ信号と誤検出する確率をＰ（ＤＴＸ→ＡＣＫ）の形で表記する）、ここでは、ノードＢの判定の閾値として、標準のＡＣＫ/ＮＡＣＫ信号送信の前のサブフレームにおいて、Ｐ（ＤＴＸ→ＮＡＣＫ）＝０．１と設定し、かつ、標準のＡＣＫ/ＮＡＣＫ信号送信に対して、Ｐ（ＤＴＸ→ＡＣＫ）＝０．１と設定することによって、上記のような要求を達成することが可能となる。従って、本発明の実施例に従えば、Ｐ（ＤＴＸ→ＡＣＫ）＝０．０１より小さくなるようにノードＢの判定の閾値を補正することができ、この結果として、ＡＣＫ信号の送信電力を格段に節減することが可能になる。
【００１３】
図１は、本発明の一つの実施例による改善されたアップリング信号検出用の無線アクセスネットワーク（ＲＡＮ）のシステム構成を示すものである。図１において、無線アクセスネットワーク１０は、コアネットワーク１２、１つまたは複数の無線ネットワークコントローラ（Radio Network Controller：ＲＮＣ）１４、１６、１つまたは複数のネットワークノード（ここでは、ノードＢ）１８〜２４、および、１つまたは複数のユーザー装置（ＵＥ）２６〜４０を有している。ユーザー装置２６〜４０の各々は、モバイル装置であって、参照番号１８〜２４のノードＢの装置との無線インターフェイスを有している。そして、ノードＢ１８〜２４は、ユーザー装置２６〜４０に対して、ＲＮＣ１４、１６を介して、コアネットワーク１２へのアクセスを行うことを可能にしている。
【００１４】
本発明の実施例によれば、ＵＥ（２６〜４０）の１台が、自分に向けたパケットであることを示しているノードＢ（１８〜２４）からの伝送信号を検出した場合、検出したＵＥは、標準のＡＣＫ/ＮＡＣＫ信号を送信する前のサブフレームにおいて、１つまたそれ以上のＮＡＣＫ信号を、追加して送信することができる。これに加えて、当該ＵＥは、標準のＡＣＫ/ＮＡＣＫ信号用のパケット送信の直後のサブフレームにおいても、１つまたはそれ以上のＮＡＣＫ信号を送信することができる（但し、データパケットが、直後のサブフレームにおいて送信され、そして、当該ＵＥによって正常にデコードされた場合を除く。この場合は、当然のことながら、ＡＣＫ信号が当然送信されることになるであろう）。この結果として、従来技術であるタイマの使用により発生する特有のアップリンク（ＵＬ）干渉が、本発明の使用により解消され得る。さらに、ノードＢ（１８〜２４）が自身のＡＣＫ/ＮＡＣＫ信号の判定の閾値として補正すべき量も顕著に低減させることができるようになる。この結果として、ＵＥ（２６〜４０）で必要とされるＡＣＫ信号の電力が節減されることになる。
【００１５】
図２は、本発明の実施例によるネットワークノードとモバイル装置との間におけるインターフェイスのシステム構成図を示すものである。図２おいて、ネットワークノード５０は、無線インターフェイスを介して、モバイル装置６０とのインターフェイスを取ることが可能となっている。この無線インターフェイスは、１つまたは複数の異なるチャネルを有することが可能であり、各々のチャネルは、異なるタイプの情報を伝送することが可能である。１つのチャネルは制御チャンネル、例えば、高速共有制御チャネル（ＨＳ−ＳＣＣＨ）４２であってもよい。このＨＳ−ＳＣＣＨは、ネットワークノード５０からモバイル装置６０へ制御情報を伝送している。さらに、１つのダウンリンクチャネル、例えば、高速ダウンリンク共有チャネル（ＨＳ−ＤＳＣＨ）４４は、ＨＳ−ＳＣＣＨ４２における制御情報に関連したデータを、ネットワークノード５０からモバイル装置６０へ伝送している。
更に、１つのアップリンクチャネル、例えば、高速専用の物理的制御チャネル（ＨＳ−ＤＰＣＣＨ）４６は、アクノリッジ信号（ＡＣＫ信号）またはネガティブアクノリッジ信号（ＮＡＣＫ信号）のような受信確認情報を、モバイル装置６０からネットワークノード５０へ伝送するのに使用され得る。この場合、上記受信確認情報は、ＨＳ−ＳＣＣＨ４２からの制御情報、またはＨＳ−ＤＳＣＨ４４からのデータの受信に関して、適切な受信が行われたこと、または受信時にエラーが発生したことを示すことになる。なお、ネットワークノード５０は、様々なタイプのネットワークノードのどのようなタイプであってよく、このネットワークノード５０として、例えば、ノードＢ、サーバー、またはベースステーション等が挙げられる。さらに、モバイル装置５０も、また、任意の無線装置であってよく、このモバイル装置５０として、例えば、携帯電話機、個人向け携帯情報端末（ＰＤＡ）、および携帯型コンピュータ等が挙げられる。
【００１６】
図３は、本発明の実施例による改善されたアップリンク信号検出用のチャネルを示す図である。図３において、ＨＳ−ＳＣＣＨ上で「Ｎ」というラベルが付加されたサブフレームにおいて、１つのＵＥが、このＵＥに関連する制御情報を検出した場合、ＨＳ−ＤＰＣＣＨ上のサブフレーム「Ｎ−１」において、当該ＵＥはＮＡＣＫ信号を送信することが可能になる（但し、１つのデータパケットが、ＨＳ−ＤＳＣＨ上のサブフレーム「Ｎ−１」において受信され、当該ＵＥによって正常にデコードされた場合を除く）。そして、ＨＳ−ＤＰＣＣＨ上のサブフレーム「Ｎ」において、当該ＵＥは、ＨＳ−ＤＳＣＨ上のサブフレーム「Ｎ」において受信されたデータパケットのデコード結果を示す標準のＡＣＫ信号またはＮＡＣＫ信号を送信する。また一方で、ＵＥは、ＨＳ−ＤＰＣＣＨ上のサブフレーム「Ｎ＋１」において、ＮＡＣＫ信号を送信することが可能になる（但し、パケットが、ＨＳ−ＤＳＣＨ上のサブフレーム「Ｎ＋１」から正常にデコードされる場合を除く。この場合、ＵＥは、ＡＣＫ信号を送信する）。そして、このＵＥに関連する新しい制御情報が、ＨＳ−ＳＣＣＨ上において検出されない場合、ＨＳ−ＤＰＣＣＨ上のサブフレームの「Ｎ＋２」以降、当該ＵＥは、ＡＣＫ/ＮＡＣＫ信号フィールド内の応答において、ＤＴＸの使用に復帰することになる。
【００１７】
さらに、本発明の実施例に従えば、ＵＥ、即ち、モバイル装置は、現時点で存在し得る特定の状況に基づいて、１つまたは複数の付加的なＮＡＣＫ伝送信号を生成して送信することが可能である。例えば、ＵＥが、ソフトハンドオーバー（soft handover、以下ではＳＨＯと略記する）状態にある場合（複数の無線リンク（ＲＬ）を有する場合に発生）、更なるＮＡＣＫ信号を送信することが可能である。これに加えて、最大電力に到達した場合にも、更なるＮＡＣＫ信号を送信するが可能である。サイト選択ダイバーシティ送信（ＳＳＤＴ）の伝送信号が、高速ダウンリンク・パケット・アクセス（High-Speed Downlink Packet Access、以下ではＨＳＤＰＡと略記する）がサービスしているセルが非優先であることを示している場合にも、更なるＮＡＣＫ信号を送信することが可能である。さらに、発生し得る最悪のデータ転送速度/オフセットのチャンネル品質表示（Channel Quality Indication、以下ではＣＱＩと略記する）が検出された場合にも、更なるＮＡＣＫ信号を送信することが可能である。更にまた、特定の期間にわたって（例えば、６スロット分の期間）、ＳＨＯの状態にある電力制御判定と、ＨＳＤＰＡがサービスしているセルからの電力制御命令との間に、不一致が存在する場合にも、更なるＮＡＣＫ信号を送信することが可能である。なお、付加的なＮＡＣＫ信号を送信することが望ましいような、その他の状況が存在し、または出現する可能性があることから、本発明は、以上で説明した状況に限定されるものではない。
【００１８】
図４は、本発明の実施例による改善されたアップリンク信号検出のプロセスのフローチャートを示すものである。ステップＳ１では、ＵＥ、即ち、モバイル装置は、高速共有制御チャネル（ＨＳ−ＳＣＣＨ）のサブフレームを監視し、ネットワークノードから当該モバイル装置に宛てた制御情報を検出する。ステップＳ２では、ＡＣＫ/ＮＡＣＫ信号の送信回数のｎが１に等しいか否かを判定する。ｎが１に等しい場合は、ステップＳ３で、ＡＣＫ信号またはＮＡＣＫ信号が、フィードバック情報に割り当てられているスロットにおいて送信されたか否かを判定する。例えば、送信されるフィードバック情報としては、ＨＳ−ＤＰＣＣＨのサブフレームにおける、ハイブリッド自動繰り返し要求（ＨＡＲＱ）−ＡＣＫプロセスの結果が該当し、この結果は、上記制御情報のＨＳ−ＳＣＣＨのサブフレームに先行するＨＳ−ＳＣＣＨのサブフレームからの内容を反映したものである。ステップＳ３でＡＣＫ信号またはＮＡＣＫ信号が送信されていない場合に、ステップＳ４では、上記制御情報に関連するＨＳ−ＤＳＣＨデータのＡＣＫ信号またはＮＡＣＫ信号の送信用に規定されているＨＳ−ＤＰＣＣＨのサブフレームに対し、直前で先行しているＨＳ−ＤＰＣＣＨのサブフレームのＨＡＲＱ−ＡＣＫに割り当てられているスロットにおいて、ＮＡＣＫ信号を送信することになる。
【００１９】
ステップＳ５では、制御情報が示しているＨＳ−ＤＳＣＨデータをモバイル装置において受信し、ＨＳ−ＤＳＣＨデータの適切な受信状態に従って、ＡＣＫ信号またはＮＡＣＫ信号をネットワークノードに送信する。ついで、ステップＳ６では、上記モバイル装置宛ての制御情報が検出されたサブフレームに後続する次の有効なＨＳ−ＳＣＣＨのサブフレームにおいて、当該モバイル装置宛ての制御情報が検出されるか否かを判定する。検出されない場合には、ステップＳ７で、上記の次の有効なＨＳ−ＳＣＣＨサブフレームに対応している、ＨＳ−ＤＰＣＣＨサブフレーム内のＨＡＲＱ−ＡＣＫに割り当てられているスロットにおいて、ＮＡＣＫ信号を送信する。
【００２０】
ついで、ステップＳ８では、特定の状況が存在しているか否かを判定している。特定の状況が存在している場合、ステップＳ７では、特定の状況が存続する限り、更なるＮＡＣＫ信号を送信することが可能である。なお、この特定の状況は、ネットワーク装置またはモバイル装置によって検出することが可能である。例えば、上記の特定な状況には、モバイル装置が、複数の無線リンクが割り当てられたソフトハンドオーバー（ＳＨＯ）の状態にある場合、最大電力に到達した場合、サイト選択ダイバーシティ送信（ＳＳＤＴ）の伝送信号が、高速ダウンリンク・パケット・アクセス（ＨＳＤＰＡ）がサービスしているセルが非優先であることを示している場合、発生し得る最悪のデータ転送速度/オフセットのチャンネル品質表示（ＣＱＩ）が検出された場合、および、ＳＨＯの領域における電力制御の判断と、ＨＳＤＰＡがサービスしているセルからの電力制御要求との間に、一定の期間にわたって、不一致が存在している場合などの状況が含まれる。
【００２１】
図５は、発明の別の実施例による改善されたアップリンク信号時の検出用のチャネルを示す図である。本発明によれば、ノードＢのＡＣＫ/ＮＡＣＫ信号判定の閾値に対する補正量を低減させることが可能であり、それゆえに、ＡＣＫ信号を格段に小さな電力で送信することができ、ＡＣＫ/ＮＡＣＫ信号の繰返し動作の使用と完全に共存させることが可能になる。本発明の上記実施例においては、ｎ個のＡＣＫ/ＮＡＣＫ信号の送信（即ち、繰返し動作を含むＡＣＫ/ＮＡＣＫ信号送信の合計数）が１を上回っている。具体的には、この図５では、ｎ個のＡＣＫ/ＮＡＣＫ信号に関して、ｎ＝３の例を示している。そして、ＵＥは、ＨＳ−ＳＣＣＨ上の「Ｎ」というラベルが付加されたサブフレーム内において関連する制御情報を検出すると、上記ＵＥは、ＨＳ−ＤＰＣＣＨ上のサブフレーム「Ｎ−２」および「Ｎ−１」において、ＮＡＣＫ信号を送信する（但し、データパケットが、ＨＳ−ＤＳＣＨ上のサブフレーム「Ｎーｎ」から受信され、当該ＵＥによって、正常にデコードされた場合は除く）。そして、ＨＳ−ＤＰＣＣＨ上のサブフレーム「Ｎ」〜「Ｎ＋ｎ−１」において、ＵＥは、ＨＳ−ＤＳＣＨ上のサブフレームＮにて受信されたデータパケットのデコードの結果を示すように、標準のＡＣＫ信号またはＮＡＣＫ信号を送信する。そして、ＨＳ−ＤＰＣＣＨ上のサブフレーム「Ｎ＋ｎ」〜「Ｎ＋２＊ｎ−１」において、ＵＥは、ＮＡＣＫ信号を送信する（但し、データパケットが、ＨＳ−ＤＳＣＨ上のサブフレームの「Ｎ＋ｎ」から受信され、当該ＵＥによって、正常にデコードされた場合は除く）。そして、ＨＳ−ＤＰＣＣＨ上のサブフレーム「Ｎ＋２＊ｎ」、およびこれ以降のサブフレームにおいて、ＵＥは、ＡＣＫ/ＮＡＣＫ信号のフィールド内のＤＴＸの使用に復帰する（但し、新しい関連する制御情報がＨＳ−ＳＣＣＨ上において検出された場合を除く）。このようにして、繰返し動作のみを使用する場合に比べて、ＤＴＸの検出が、より多くのサブフレーム上に拡散することになり、この結果として、ノードＢの判定の閾値の補正量は、繰返し動作のみの場合に比べて、低減させることができる。
【００２２】
図６は、本発明の別の実施例による改善されたアップリンク信号検出用のプロセスのフローチャートを示すものである。ステップＳ１０では、ＵＥは、ＨＳ−ＳＣＣＨのサブフレームにおいて、ネットワークノードから当該ＵＥに宛てた制御情報を検出する。そして、ステップＳ１１では、ＡＣＫ/ＮＡＣＫ信号の送信回数のｎが、１を上回っているか否かを判定する。１を上回っている場合、ステップＳ１２では、受信認知したか否かの確認信号が、フィードバック情報に割り当てられているスロットにおいて、発生したか否かを判定する。例えば、送信されるフィードバック情報としては、ＨＳ−ＤＰＣＣＨのサブフレームにおける、ハイブリッド自動繰り返し要求（ＨＡＲＱ）−ＡＣＫプロセスの結果が該当し、この結果は、上記制御情報のＨＳ−ＳＣＣＨのサブフレームに先行するＨＳ−ＳＣＣＨのサブフレームまたは、上記先行するＨＳ−ＳＣＣＨのサブフレームに先行するＨＳ−ＳＣＣＨのサブフレームからの内容を反映したものである。上記確認信号が、発生していない場合は、ステップＳ１３で、ＨＡＲＱ−ＡＣＫ用に割り当てられている２つのスロットにおいて、ＮＡＣＫ信号を送信することになる。ここで、上記２つのスロットは、上記制御情報と関連するＨＳ−ＤＳＣＨのデータの受信確認後の送信用に規定されているＨＳ−ＤＰＣＣＨのサブフレームに対し、直前で先行している２つのＨＳ−ＤＰＣＣＨの各々のサブフレーム毎に割り当てられている。
【００２３】
ステップＳ１４で、制御情報が示しているＨＳ−ＤＳＣＨのデータが、モバイル装置において受信されると、このモバイル装置は、ＡＣＫ/ＮＡＣＫ信号を送信する。この送信は、ＨＳ−ＤＳＣＨのデータが適切に受信されたか、または受信時に当該データが欠如していたかに応じて実行されることになる。そして、ステップＳ１５では、上記モバイル装置宛ての制御情報が検出されたサブフレームに後続する、次の有効なＨＳ−ＳＣＣＨのサブフレームにおいて、上記モバイル装置宛ての制御情報が検出された否かを判定することが可能である。検出されない場合は、ステップＳ１６で、ＨＡＲＱ−ＡＣＫ用に割り当てられているスロットにおいて、１つのＮＡＣＫ信号を送信することが可能である。ここで、上記ＮＡＣＫ信号の送信は、上記の次の有効なＨＳ−ＳＣＣＨのサブフレームに対応するＨＳ−ＤＰＣＣＨのサブフレームから開始される、ｎ個の各サブフレーム内で、ＨＡＲＱ−ＡＣＫ用に割り当てられているスロットにおいて、実行されることになる。
【００２４】
そして、ステップＳ１７で、特定の状況が存在しているか否かを判定することが可能である。特定の状況が存在している場合は、ステップＳ１８で、次のＨＳ−ＳＣＣＨサブフレームに対応するＨＳ−ＤＰＣＣＨのサブフレーム内のＨＡＲＱ−ＡＣＫ用に割り当てられているスロットにおいて、１つのＮＡＣＫ信号を送信することが可能である。なお、この特定の状況は、ネットワーク装置またはモバイル装置によって検出可能である。例えば、上記の特定の状況には、複数の無線リンクが割り当てられているモバイル装置が、ソフトハンドオーバーの状態にある場合、最大電力に到達した場合、サイト選択ダイバーシティ送信（ＳＳＤＴ）の伝送信号が、ＨＳＤＰＡ（High-Speed Downlink Packet Access）がサービスしているセルが非優先であることを示している場合、発生可能な最悪のデータ転送速度/オフセットのＣＱＩ（Channel Quality Indication）を検出した場合、およびソフトハンドオーバーの領域における電力制御判定とＨＳＤＰＡがサービスしているセルからの電力制御要求との間に、一定の期間にわたって不一致が存在している場合などの状況が含まれる。
【００２５】
図７は、本発明の実施例による改善されたアップリンク信号検出を有効または無効にするプロセスのフローチャートを示す図である。ステップＳ２０では、任意のネットワークノードが、所定の状態を検出したか否かを判定している。検出した場合は、ステップＳ２１で、ネットワークノードは、検出された状態に基づいて、ＤＴＸ検出が望ましいか否かを判定する。そして、ＤＴＸ検出が望ましい場合には、ステップＳ２２で、ネットワークノードは、制御情報をモバイル装置に送信することが可能である。この制御情報は、先行および後続するＮＡＣＫ信号の送信を無効にすると共に、制御情報のＤＴＸ検出と関連するデータの転送とを許可する命令を含んでいる。ステップＳ２３で、モバイル装置は、このモバイル装置宛ての制御情報を検出する。そして、ステップＳ２４では、上記制御情報と関連しているＨＳ−ＳＣＣＨのデータを受信する。なお、モバイル装置は、このデータの適切な受信状態について、適宜、ＡＣＫ/ＮＡＣＫ信号を送信するが、受信状態以外の先行または後続するＮＡＣＫ信号の送信は、ステップＳ２２での制御情報の指示命令により、実行しない。
【００２６】
図８〜図１１は、本発明の実施例によるシミュレーションの結果を示すグラフである。それぞれのグラフにおいては、横軸（ｘ）は、ＵＥの速度をｋｍ／ｈ で表し、縦軸（ｙ）は、標準のＵＬのＤＰＣＣＨに対するＨＳ−ＤＰＣＣＨのＡＣＫ/ＮＡＣＫ信号の要求される電力のピーク値（ｄＢ）を表している。さらに、それぞれのグラフには、２つの曲線が示されている。これらの２つの曲線の中で、第１曲線は、ノードＢの閾値の補正量を低減するための対策を有していない結果であり、図８〜図１１の７０、７２、７４および７６が該当する。また一方で、第２曲線は、ノードＢの閾値の補正量を低減するための本発明の提案によるＮＡＣＫ信号の送信を行っている結果であり、図８〜図１１の８０、８２、８４および８６が該当する。これらのシミュレーションにおいては、２つの非相関アンテナによるノードＢにおけるＲｘダイバーシティの使用を前提としている。そして、チャネルモデルは、歩行者Ａ（Pedestrian Ａ）である。静的なＡＣＫ/ＮＡＣＫ信号の判定の閾値は、ＤＴＸがＡＣＫ信号として誤検出される確率に従って設定されている。
【００２７】
ＵＥの速度が０〜４０ｋｍ／ｈ の範囲内にある場合には、３つの連続したＵＬスロットからのパイロットビットを使用することにより、ノードＢにおけるチャネルの推定を、実行している。そして、ＵＥの速度が４０ｋｍ／ｈ 以上の場合には、１スロットのみからのパイロットビットをチャネルの推定に使用している。これによって、チャネル推定のための最良の方法が、常にベンチマークとして使用されることが保証される。
【００２８】
その他の一般的なシミュレーションの前提としては、下記の項目が含まれている。
（１）２ＧＨｚの搬送波周波数
（２）歩行者Ａチャネル：レイリーの速い減衰、古典的なドップラ効果によるスペクトルおよびシャドーイングの無処理
（３）ＤＬ（Down Link）のＴＰＣ(Transmit Power Control)命令での４％の誤り率（相加性白色ガウス雑音（ＡＷＧＮ）による影響）
（４）ステップサイズ１ｄＢのＵＬ電力制御、アルゴリズム１
（５）ＵＬ（Upper Link）のＤＰＣＣＨでのＳＩＲ(Signal to Interference Ratio）目標設定として、ＴＰＣ誤り率４％を付与すること
（６）ＳＨＯの適用時および不適用時に対して、ＳＩＲの同一設定を行うこと
（７）相加性白色ガウス雑音（ＡＷＧＮ）をモデル化したＵＬ内への干渉
（８）ＡＣＫ/ＮＡＣＫ信号フィールドの１０ビットのソフトコンビネーション（soft combination）
【００２９】
シミュレーション結果は、ノードＢがＳＨＯを利用する場合と利用しない場合の２つのケースについて呈示されている。さらに、上記シミュレーション結果が、元々の緩和されていないエラー条件（即ち、Ｐ（ＤＴＸ→ＡＣＫ）＝０．０１で、Ｐ（ＮＡＣＫ→ＡＣＫ）＝１０-4）と緩和されたエラー条件（即ち、Ｐ（ＤＴＸ→ＡＣＫ）＝０．１で、Ｐ（ＮＡＣＫ→ＡＣＫ）＝１０-4）の両方について呈示されている。
【００３０】
この図８〜図１１の結果は、ＤＴＸをＡＣＫ信号として誤検出を回避するために、ノードＢにおける判定の閾値を補正する必要性が生ずることによって、どの程度、高いＡＣＫ信号電力が要求されているかを示すものである。このＤＴＸの誤検出を回避するか、または少なくとも軽減させることができるならば、要求されるＡＣＫ信号の電力は、３ｄＢ〜６ｄＢの程度に、低減されることになる。
【００３１】
本発明による実施例は、いくつかの理由から、非常に有利である。即ち、本発明は、ＡＣＫ/ＮＡＣＫ信号フィールド内のＤＴＸの使用をタイマによって制御するような、従来の方法に対する改善を提供している。本発明によれば、ＵＥは、関連するＨＳ−ＳＣＣＨ上の伝送信号を検出した場合に、標準のＡＣＫ/ＮＡＣＫ信号の前のサブフレームにおいて、ＮＡＣＫ信号を送信することが可能である。さらに、上記ＵＥは、ＡＣＫ/ＮＡＣＫ信号に後続するサブフレームにおいても、１つのＮＡＣＫ信号を送信することが可能である（但し、直後のパケットが正しくデコードされた場合を除く。この場合には、ＡＣＫ信号が送信されることになる）。
【００３２】
さらに、本発明によれば、ノードＢが自身のＡＣＫ/ＮＡＣＫ信号の判定の閾値を補正すべき量を顕著に低減させることが可能であり、この結果として、必要なＡＣＫ信号電力が、約３ｄＢ〜６ｄＢ減少することになる。これに加えて、本発明は、繰返し動作や誤り率の要求の緩和を含むような、その他のＨＳ−ＤＰＣＣＨの電力の節減法と共に使用された場合でも、要求されるＡＣＫ信号電力の低減効果を、継続して維持することが可能である。
【００３３】
更には、本発明の場合には、上位階層のプロトコルや、ＵＥまたはノードＢが利用可能な処理時間に対して影響を及ぼすことがない。そして、本発明は、ＡＣＫ/ＮＡＣＫ信号の繰返し動作と共に容易に使用することが可能であるが、そのアプリケーションを単純化するためには、１回の繰返し動作のみのケースに限定されることになるであろう。さらに、本発明は、結果的に、ノードＢの検出性能とシステム・スループットおよび受信可能範囲の改善が実現されるという点において有利である。
【００３４】
サブフレーム「Ｎ＋１」でのＮＡＣＫ信号の送信は、２つの連続したパケットが送信される場合であって、ＵＥが、第１のパケットのみを検出する場合に有益である。この場合には、ノードＢは１つのＤＴＸよりも、第２パケットの１つのＮＡＣＫ信号を、確実に検出することができる。ＡＣＫ信号送信電力の節減は、ＤＬパケットのパターンのバースト性や異質性の程度とは無関係に実現される。従って、任意のトラフィックモデルのすべてのパケットにおいて、ＡＣＫ/ＮＡＣＫ信号送信電力のピーク値が顕著に節減する。
【００３５】
さらに、本発明に係わる実施例では、ノードＢにおける閾値の補正値の問題に、直接的に対処することができ、ＨＳ−ＤＰＣＣＨ用のその他の電力節減メカニズム（例えば、ＡＣＫ/ＮＡＣＫ信号の繰返し動作や、誤り率の要求の緩和）と完全に共存可能である。これによって、ＡＣＫ/ＮＡＣＫ信号電力のピーク値をさらに節減させることが可能になる。さらに、本発明は、ＡＣＫ/ＮＡＣＫ信号の繰返し動作の使用に対する有益な補足を提供することができるので、繰返し動作が望ましくない状況においても依然として有効性を発揮することが可能になる。この場合、例えば、上記の繰返し動作が望ましくない状況としては、高パケットスループットのシステム例が挙げられる。また一方で、本発明は、ＡＣＫ/ＮＡＣＫ信号のプロトコルに対しても、影響を及ぼすことはない。
【００３６】
本発明は、伝送信号の要求に対して、上記の伝送信号機能のオン・オフ動作により切り替えることを可能にする。このような切り替え動作は、ＡＣＫ/ＮＡＣＫ信号の送信回数ｎのような、その他のパラメータと一緒に、より上位階層のパラメータとして伝送することができる。本発明によれば、機能的にスイッチオフすることができ、例えば、ノードＢが、ＮＡＣＫ信号とは別個にＤＴＸを検出することを明確に要求している場合、例えば、自己のデコードを必要としていない再送信を使用している場合には、上記に関連する機能をオフの状態に切り替えることができる。
【００３７】
さらには、パケットが正しくデコードされるか否かとは無関係に、ＵＥが、ＮＡＣＫ信号を、早期のサブフレームにおいて、常に送信することができるので、サブフレーム「Ｎ−１」内の１つのＮＡＣＫ信号の伝送は、ＨＳ−ＤＳＣＨのパケットをデコードするのに利用可能なＵＥの処理時間に対して、何の影響も及ぼさない。この早期のＮＡＣＫ信号は、ＵＥがＨＳ−ＳＣＣＨ上で関連する伝送信号を検出したことを、単純に通知するためのものである。
【００３８】
なお、以上の例は、本発明の説明を目的として提供されたものにすぎず、本発明を制限するものと解釈してはならないことに留意されたい。また一方で、好適な実施例を参照しながら、本発明について説明したが、本明細書に使用されている用語は、本発明に対する限定を目的とするものではなく、説明および例示を目的とするものであることを理解されたい。本発明の範囲と精神を逸脱することなく、現時点において権利請求がされている（または、補正され得る）添付の請求項の範囲内において、本発明の態様に変更を加えることが可能である。さらに、本明細書においては、特定の方法、材料、および実施例を参照しながら、本発明について説明しているが、本発明は、本明細書に開示されている詳細事項に限定されるものではない。それどころか、本発明は、添付の請求項の範囲内に属するもの等のあらゆる機能的に等価な構造、方法、および使用法をも含んでいる。
【図面の簡単な説明】
【００３９】
【図１】本発明の実施例による改善されたアップリング信号検出用の無線アクセスネットワーク（ＲＡＮ）のシステム構成図である。
【図２】本発明の実施例によるネットワークノードとモバイル装置との間におけるインターフェイスのシステム構成図である。
【図３】本発明の実施例による改善されたアップリンク信号検出用のチャネルを示す図である。
【図４】本発明の実施例による改善されたアップリンク信号検出用のプロセスのフローチャート図である。
【図５】本発明の別の実施例による改善されたアップリンク信号検出用のチャネルを示す図である。
【図６】本発明の別の実施例による改善されたアップリンク信号検出用のプロセスのフローチャート図である。
【図７】本発明の実施例による改善されたアップリンク信号検出を有効または無効にするプロセスのフローチャートである。
【図８】本発明の実施例によるシミュレーションの結果を示すグラフである。
【図９】本発明の実施例によるシミュレーションの結果を示すグラフである。
【図１０】本発明の実施例によるシミュレーションの結果を示すグラフである。
【図１１】本発明の実施例によるシミュレーションの結果を示すグラフである。
【図１】
2006515139.tif 000003
【図２】
2006515139.tif 000004
【図３】
2006515139.tif 000005
【図４】
2006515139.tif 000006
【図５】
2006515139.tif 000007
【図６】
2006515139.tif 000008
【図７】
2006515139.tif 000009
【図８】
2006515139.tif 000010
【図９】
2006515139.tif 000011
【図１０】
2006515139.tif 000012
【図１１】
2006515139.tif 000013
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
ネットワーク内のモバイル装置の送信電力を節減する方法であって、
制御チャネルのサブフレームにおいて、ネットワークノードからモバイル装置に宛てた制御情報を、検出するステップと、
アップリンクチャネルのサブフレーム内のフィードバック情報に割り当てられているスロットにおいて、前記制御チャネルのサブフレームに先行している制御チャネルのサブフレームを処理したフィードバックの情報結果として、アクノリッジ（ＡＣＫ）またはネガティブアクノリッジ（ＮＡＣＫ）信号が送信されない場合に、前記制御情報に関連するダウンリンクチャネルのデータに対するアクノリッジ（ＡＣＫ）信号またはネガティブアクノリッジ（ＮＡＣＫ）信号の送信に関して規定されている、アップリンクチャネルのサブフレームの直前のサブフレームにおけるフィードバック情報に割り当てられているスロットにおいて、任意の信号を送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が、検出されるか否かを判定し、当該制御情報が検出されない場合には、前記次の有効な制御チャネルのサブフレームに対応するアップリンクチャネルサブフレームのフィードバック情報に割り当てられているスロットにおいて、任意の信号を送信するステップと、を有することを特徴とするネットワーク内のモバイル装置の送信電力を節減する方法。
【請求項２】
前記制御チャネルが、高速共有制御チャネル（ＨＳ−ＳＣＣＨ）を有している請求項１に記載の方法。
【請求項３】
前記フィードバック情報が、ハイブリッド自動繰り返し要求のアクノリッジ（ＨＡＲＱ−ＡＣＫ）を含んでいる請求項１に記載の方法。
【請求項４】
前記アップリンクチャネルが、高速専用の物理的制御チャネル（ＨＳ−ＤＰＣＣＨ）を有している請求項１に記載の方法。
【請求項５】
前記ダウンリンクチャネルが、高速ダウンリンク共有チャネル（ＨＳ−ＤＳＣＨ）を有している請求項１に記載の方法。
【請求項６】
前記方法が、更に、特定の状況が存在しているか否かを判定し、前記特定の状況が存在している場合には、前記モバイル装置宛ての制御情報が、次の有効な制御チャネルのサブフレームにおいて検出されるか否かを判定し、前記制御情報が検出されない場合には、前記次の有効な制御チャネルのサブフレームに対応するアップリンクチャネルのサブフレーム内のフィードバック情報に割り当てられているスロットにおいて、ネガティブアクノリッジ（ＮＡＣＫ）信号を送信するステップを有する請求項１に記載の方法。
【請求項７】
前記の特定の状況は、前記モバイル装置に複数の無線リンクが割り当てられ、ソフトハンドオーバー（ＳＨＯ）の状態にある場合、送信電力が最大に到達した場合、サイト選定ダイバーシティ（ＳＳＤＴ）伝送信号が高速ダウンリンク・パケット・アクセス（ＨＳＤＰＡ）のサービスしているセルが非優先であることを示す場合、発生し得る最悪のデータ転送速度/オフセットのチャンネル品質表示（ＣＱＩ）を検出した場合、およびソフトハンドオーバー（ＳＨＯ）の領域における電力制御判定と高速ダウンリンク・パケット・アクセス（ＨＳＤＰＡ）がサービスしているセルからの電力制御命令との間に、一定期間にわたって不一致が存在している場合の中の、少なくとも１つの場合を含んでいる請求項６に記載の方法。
【請求項８】
前記スロットが、所定の送信時間間隔（ＴＴＩ）を有している請求項１に記載の方法。
【請求項９】
前記モバイル装置が、携帯電話機である請求項１に記載の方法。
【請求項１０】
前記ネットワークノードが、無線リソースコントローラ（ＲＲＣ）またはベーシックステーションコントローラ（ＢＳＣ）のいずれか一方を有している請求項１に記載の方法。
【請求項１１】
ＤＴＸモード信号が、１に等しい請求項１に記載の方法。
【請求項１２】
アクノリッジ/ネガティブアクノリッジ（ＡＣＫ/ＮＡＣＫ）信号の送信回数ｎが、１に等しい請求項１に記載の方法。
【請求項１３】
前記ネットワークが、無線アクセスネットワーク（ＲＡＮ）を有している請求項１に記載の方法。
【請求項１４】
前記ネットワークノードが、ハイブリッド自動繰り返し要求のアクノリッジ（ＨＡＲＱ−ＡＣＫ）のサブフレームにおける連続的なＤＴＸ送信を検出する必要性を回避し、これによって、前記モバイル装置において必要なアクノリッジ（ＡＣＫ）信号の送信電力の節減を可能にする請求項１に記載の方法。
【請求項１５】
前記方法が、更に、前記ネットワークノードによって、付加的な確認応答の信号を送信するステップおよび前記モバイル装置宛ての制御情報が検出されるか否かを判定するステップを実行するか否かを、前記モバイル装置に指示するステップを有する請求項１に記載の方法。
【請求項１６】
前記方法が、更に、前記ネットワークノード装置によって、前記モバイル装置がソフトハンドオーバーの領域内にある場合には、前記付加的な確認応答の信号を送信するステップおよび前記モバイル装置宛ての制御情報が検出されるか否かを判定するステップを実行するように、前記モバイル装置宛てに指示するステップを有する１５に記載の方法。
【請求項１７】
ネットワーク内のモバイル装置の送信電力を節減する方法であって、
制御チャネルのサブフレームにおいて、ネットワークノードからモバイル装置に宛てた制御情報を、検出するステップと、
アクノリッジ/ネガティブアクノリッジ（ＡＣＫ/ＮＡＣＫ）信号の送信回数ｎが１より大きいか否かを判定し、送信回数が１より大きい場合、前記制御チャネルのサブフレームの直前に先行する制御チャネルのサブフレーム、または前記先行する制御チャネルのサブフレームに先行している制御チャネルのサブフレームを処理する、フィードバックの情報結果に割り当てられているスロットに、確認応答の送信信号の発生がないとき、前記制御情報に関連するダウンリンクチャネルデータの確認応答用信号の送信に関して規定されている、アップリンクチャネルのサブフレームの直前における２つの先行するアップリンクチャネルのサブフレームにおける、フィードバック情報に割り当てられている２つのスロットにおいて、ネガティブアクノリッジ（ＮＡＣＫ）信号を送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が検出されるか否かを判定し、前記モバイル装置宛ての制御情報が検出されない場合には、前記次の有効な制御チャネルのサブフレームに対応するアップリンクチャネルのサブフレームから開始される、ｎ個のサブフレームの各々におけるフィードバック情報に割り当てられているスロットにおいて、ネガティブアクノリッジ（ＮＡＣＫ）信号を送信するステップと、を有することを特徴とするネットワーク内のモバイル装置の送信電力を節減する方法。
【請求項１８】
前記制御チャネルが、高速共有制御チャネル（ＨＳ−ＳＣＣＨ）を有している請求項１７に記載の方法。
【請求項１９】
前記フィードバック情報が、ハイブリッド自動繰り返し要求のアクノリッジ（ＨＡＲＱ−ＡＣＫ）を含んでいる請求項１７に記載の方法。
【請求項２０】
前記アップリンクチャネルが、高速専用の物理的制御チャネル（ＨＳ−ＤＰＣＣＨ）を有している請求項１７記載の方法。
【請求項２１】
前記ダウンリンクチャネルが、高速ダウンリンク共有チャネル（ＨＳ−ＤＳＣＨ）を有している請求項１７記載の方法。
【請求項２２】
前記方法が、更に、特定の状況が存在しているか否かを判定し、前記特定の状況が存在している場合には、ＤＴＸモード信号が１であるか否かを判定し、前記モード信号が１に等しい場合には、前記モバイル装置宛ての制御情報が、前記モバイル装置宛ての制御情報が検出されたサブフレームに後続する次の有効な制御チャネルのサブフレームにおいて検出されるか否かを判定し、当該制御情報が検出された場合には、前記次の有効な制御チャネルのサブフレームに対応するアップリンクチャネルのサブフレームから開始される、ｎ個のサブフレームの各々におけるフィードバック情報に割り当てられているスロットにおいて、ネガティブアクノリッジ（ＮＡＣＫ）信号を送信するステップを有す請求項１７に記載の方法。
【請求項２３】
前記の特定の状況は、前記モバイル装置に複数の無線リンクが割り当てられ、ソフトハンドオーバー（ＳＨＯ）の状態にある場合、送信電力が最大に到達した場合、サイト選定ダイバーシティ（ＳＳＤＴ）伝送信号が高速ダウンリンク・パケット・アクセス（ＨＳＤＰＡ）のサービスしているセルが非優先であることを示す場合、発生し得る最悪のデータ転送速度/オフセットのチャンネル品質表示（ＣＱＩ）を検出した場合、およびソフトハンドオーバー（ＳＨＯ）の領域における電力制御判定と高速ダウンリンク・パケット・アクセス（ＨＳＤＰＡ）がサービスしているセルからの電力制御命令との間に、一定期間にわたって不一致が存在している場合の中の、少なくとも１つの場合を含んでいる請求項２２に記載の方法。
【請求項２４】
前記スロットが、所定の送信時間間隔（ＴＴＩ）を有している請求項１７に記載の方法。
【請求項２５】
前記モバイル装置が、携帯電話機である請求項１７に記載の方法。
【請求項２６】
前記ネットワークノードが、無線リソースコントローラ（ＲＲＣ）またはベーシックステーションコントローラ（ＢＳＣ）のいずれか一方を有している請求項１７に記載の方法。
【請求項２７】
ＤＴＸモード信号が、１に等しい請求項１７に記載の方法。
【請求項２８】
前記ネットワークが、無線アクセスネットワーク（ＲＡＮ）を有している請求項１７に記載の方法。
【請求項２９】
前記ネットワークノードが、ハイブリッド自動繰り返し要求のアクノリッジ（ＨＡＲＱ−ＡＣＫ）のサブフレームにおける連続的なＤＴＸ送信を検出する必要性を回避し、これによって、前記モバイル装置において必要なアクノリッジ（ＡＣＫ）信号の送信電力の節減を可能にする請求項１７に記載の方法。
【請求項３０】
前記方法が、更に、前記ネットワークノードによって、付加的な確認応答の信号を送信するステップおよび前記モバイル装置宛ての制御情報が検出されるか否かを判定するステップを実行するか否かを、前記モバイル装置に指示するステップを有する請求項１７に記載の方法。
【請求項３１】
前記方法が、更に、前記ネットワークノードによって、前記モバイル装置がソフトハンドオーバーの領域内にある場合に、前記付加的な確認応答の信号を送信するステップおよび前記モバイル装置宛ての制御情報が検出されるか否かを判定するステップを実行するように、前記モバイル装置に指示するステップを有している請求項３０に記載の方法。
【請求項３２】
ネットワーク内のモバイル装置の送信電力を節減するシステムであって、
前記ネットワークに対し、動作可能に接続されており、制御チャネルのサブフレームにおいて、制御信号を少なくとも１つのモバイル装置に送信すると共に、ダウンリンクチャネルのサブフレームにおいて、関連するデータを少なくとも１つのモバイル装置に送信するネットワーク装置であるネットワークノードと、
前記ネットワークに対し動作可能に接続されており、前記モバイル装置宛ての制御チャネルのサブフレームにおいて、制御情報を検出するモバイル装置とを有しており、
前記モバイル装置は、
アップリンクチャネルのサブフレーム内のフィードバック情報に割り当てられているスロットにおいて、前記制御チャネルのサブフレームに先行している制御チャネルのサブフレームを処理したフィードバックの情報結果として、アクノリッジ（ＡＣＫ）信号またはネガティブアクノリッジ（ＮＡＣＫ）信号が送信されない場合に、前記制御情報に関連するダウンリンクチャネルのデータに対するアクノリッジ（ＡＣＫ）信号またはネガティブアクノリッジ（ＮＡＣＫ）信号の送信に関して規定されている、アップリンクチャネルのサブフレームの直前のサブフレームにおけるフィードバック情報に割り当てられているスロットにおいて、任意の信号を前記ネットワークノードに送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を前記ネットワークノードに送信するステップと、
前記モバイル装置宛ての制御情報が検出されたサブフレームに後続する、次の有効な制御チャネルのサブフレームにおいて、前記モバイル装置宛ての制御情報が検出されるか否かを判定し、当該制御情報が検出されない場合には、前記次の有効な制御チャネルのサブフレームに対応するアップリンクチャネルのサブフレームのフィードバック情報に割り当てられているスロットにおいて、任意の信号を前記ネットワークノードに送信するステップと、を実行することを特徴とするネットワーク内のモバイル装置の送信電力を節減するシステム。
【請求項３３】
前記制御チャネルが、高速共有制御チャネル（ＨＳ−ＳＣＣＨ）を有している請求項３２に記載のシステム。
【請求項３４】
前記フィードバック情報が、ハイブリッド自動繰り返し要求のアクノリッジ（ＨＡＲＱ−ＡＣＫ）を含んでいる請求項３２に記載のシステム。
【請求項３５】
前記アップリンクチャネルが、高速専用の物理的制御チャネル（ＨＳ−ＤＰＣＣＨ）を有している請求項３２に記載のシステム。
【請求項３６】
前記ダウンリンクチャネルが、高速ダウンリンク共有チャネル（ＨＳ−ＤＳＣＨ）を有している請求項３２に記載のシステム。
【請求項３７】
ネットワーク内のモバイル装置の送信電力を節減するシステムであって、
ネットワークノードであって、前記ネットワークに対し動作可能に接続されており、制御チャネルのサブフレームにおいて、制御信号を少なくとも１つのモバイル装置に対して送信すると共に、ダウンリンクチャネルのサブフレームにおいて、関連するデータを少なくとも１つのモバイル装置に送信するネットワーク装置であるネットワークノードと、
前記ネットワークに対し動作可能に接続されており、制御チャネルのサブフレームにおいて、ネットワークノードからモバイル装置宛ての制御情報を検出するモバイル装置と
を有しており、
アクノリッジ/ネガティブアクノリッジ（ＡＣＫ/ＮＡＣＫ）信号の送信回数ｎが１より大きいか否かを判定し、前記送信回数が１より大きい場合、前記制御チャネルのサブフレームの直前の先行する制御チャネルのサブフレーム、または前記先行する制御チャネルのサブフレームに先行している制御チャネルのサブフレームを処理する、フィードバックの情報結果として割り当てられているスロットに、確認応答の送信信号の発生がないとき、前記制御情報に関連するダウンリンクチャネルのデータの確認応答用信号の送信に規定されている、アップリンクチャネルのサブフレームの直前における２つの先行するアップリンクチャネルのサブフレームにおける、フィードバック情報に割り当てられている２つのスロットにおいて、ネガティブアクノリッジ（ＮＡＣＫ）信号を送信するステップと、
前記モバイル装置において、前記制御情報により示されている前記ダウンリンクチャネルデータを受信し、前記ダウンリンクチャネルデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が、検出されるか否かを判定し、前記制御情報が検出されない場合には、前記次の有効な制御チャネルのサブフレームに対応するアップリンクチャネルのサブフレームから開始される、ｎ個のサブフレームの各々におけるフィードバック情報に割り当てられているスロットにおいて、ネガティブアクノリッジ（ＮＡＣＫ）信号を送信するステップと、を実行することを特徴とするネットワーク内のモバイル装置の送信電力を節減するシステム。
【請求項３８】
前記制御チャネルが、高速共有制御チャネル（ＨＳ−ＳＣＣＨ）を有している請求項３７に記載のシステム。
【請求項３９】
前記フィードバック情報が、ハイブリッド自動繰り返し要求のアクノリッジ（ＨＡＲＱ−ＡＣＫ）を含んでいる請求項３７に記載のシステム。
【請求項４０】
前記アップリンクチャネルが、高速専用の物理的制御チャネル（ＨＳ−ＤＰＣＣＨ）を有している請求項３７に記載のシステム。
【請求項４１】
前記ダウンリンクチャネルが、高速ダウンリンク共有チャネル（ＨＳ−ＤＳＣＨ）を有している請求項３７に記載のシステム。
【請求項４２】
内部に命令を格納している記憶媒体を有するモバイル装置であって、前記命令は、実行される際に、前記モバイル装置に、
制御チャネルのサブフレームにおいて、ネットワークノードから前記モバイル装置宛ての制御情報を検出するステップと、
アップリンクチャネルのサブフレーム内のフィードバック情報に割り当てられているスロットにおいて、前記制御チャネルのサブフレームに先行している制御チャネルのサブフレームを処理したフィードバックの情報結果として、アクノリッジ（ＡＣＫ）信号またはネガティブアクノリッジ（ＮＡＣＫ）信号が送信されない場合に、前記制御情報に関連するダウンリンクチャネルのデータに対するアクノリッジ（ＡＣＫ）信号またはネガティブアクノリッジ（ＮＡＣＫ）信号の送信に関して規定されている、アップリンクチャネルのサブフレームの直前のサブフレームにおけるフィードバック情報に割り当てられているスロットにおいて、任意の信号を送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が検出されるか否かを判定し、当該制御情報が検出されない場合には、前記次の有効な制御チャネルのサブフレームに対応するアップリンクチャネルのサブフレーム内のフィードバック情報に割り当てられているスロットにおいて、任意の信号を送信するステップと、を実行させることを特徴とするモバイル装置。
【請求項４３】
前記制御チャネルが、高速共有制御チャネル（ＨＳ−ＳＣＣＨ）を有している請求項４２に記載のモバイル装置。
【請求項４４】
前記フィードバック情報が、ハイブリッド自動繰り返し要求のアクノリッジ（ＨＡＲＱ−ＡＣＫ）を含んでいる請求項４２に記載のモバイル装置。
【請求項４５】
前記アップリンクチャネルが、高速専用の物理的制御チャネル（ＨＳ−ＤＰＣＣＨ）を有している請求項４２に記載のモバイル装置。
【請求項４６】
前記ダウンリンクチャネルが、高速ダウンリンク共有チャネル（ＨＳ−ＤＳＣＨ）を有している請求項４２に記載のモバイル装置。
【請求項４７】
前記モバイル装置が、携帯電話機である請求項４２に記載のモバイル装置。
【請求項４８】
内部に命令を格納している記憶媒体を有するモバイル装置であって、前記命令は、実行される際に、前記モバイル装置に、
制御チャネルのサブフレームにおいて、ネットワークノードから前記モバイル装置に宛てた制御情報を、検出するステップと、
アクノリッジ/ネガティブアクノリッジ（ＡＣＫ/ＮＡＣＫ）信号の送信回数ｎが１より大きいか否かを判定し、前記送信回数が１より大きい場合、前記制御チャネルのサブフレームの直前の先行する制御チャネルのサブフレーム、または前記先行する制御チャネルのサブフレームに先行している制御チャネルのサブフレームを処理したフィードバックの情報結果として、アップリンクチャネルのサブフレームに割り当てられているスロットにおいて、確認応答の送信信号の発生がないとき、前記制御情報に関連するダウンリンクチャネルのデータの確認応答用信号に規定されているアップリンクチャネルのサブフレームの直前における２つの先行するアップリンクチャネルのサブフレームにおける、フィードバック情報に割り当てられている２つのスロットにおいて、ネガティブアクノリッジ（ＮＡＣＫ）信号を送信するステップと、
前記モバイル装置において、前記制御情報により示されている前記ダウンリンクチャネルのデータを受信し、前記ダウンリンクチャネルのデータの適切な受信状態に従って、アクノリッジ（ＡＣＫ）信号またはネガティブアクノリッジ（ＮＡＣＫ）信号を送信するステップと、
前記モバイル装置宛ての制御情報が検出されたサブフレームに後続する、次の有効な制御チャネルのサブフレームにおいて、前記モバイル装置宛ての制御情報が、検出されるか否かを判定し、前記制御情報が検出されない場合には、前記次の有効な制御チャネルのサブフレームに対応するアップリンクチャネルのサブフレームから開始される、ｎ個のサブフレームの各々におけるフィードバック情報に割り当てられているスロットにおいて、ネガティブアクノリッジ（ＮＡＣＫ）信号を送信するステップと、を実行させることを特徴とするモバイル装置。
【請求項４９】
前記制御チャネルが、高速共有制御チャネル（ＨＳ−ＳＣＣＨ）を有している請求項４８に記載のモバイル装置。
【請求項５０】
前記フィードバック情報が、ハイブリッド自動繰り返し要求のアクノリッジ（ＨＡＲＱ−ＡＣＫ）を含んでいる請求項４８に記載のモバイル装置。
【請求項５１】
前記アップリンクチャネルが、高速専用の物理的制御チャネル（ＨＳ−ＤＰＣＣＨ）を有している請求項４８に記載のモバイル装置。
【請求項５２】
前記ダウンリンクチャネルが、高速ダウンリンク共有チャネル（ＨＳ−ＤＳＣＨ）を有している請求項４８に記載のモバイル装置。
【請求項５３】
前記モバイル装置が、携帯電話機である請求項４８に記載のモバイル装置。
【請求項５４】
命令を格納している記憶媒体を有するネットワークノードであって、前記命令は、実行される際に、前記ネットワークノードに
制御チャネルのサブフレームにおいて、モバイル装置宛ての制御情報を前記モバイル装置に送信するステップと、
前記制御情報に関連するダウンリンクチャネルのデータへのアクノリッジ（ＡＣＫ）信号またはネガティブアクノリッジ（ＮＡＣＫ）信号の受信に関して規定されているアップリンクチャネルのサブフレームの直前のアップリンクチャネルのサブフレームおいて、フィードバック情報に割り当てられているスロットで、前記モバイル装置からの任意の信号を受信するステップと、
前記制御情報により示されている前記ダウンリンクチャネルのデータを前記モバイル装置に送信し、前記ダウンリンクチャネルのデータの適切な受信結果に従って、前記モバイル装置からアクノリッジ（ＡＣＫ）信号またはネガティブアクノリッジ（ＮＡＣＫ）信号を受信するステップと、
前記モバイル装置が、前記モバイル装置宛ての制御情報が検出されたサブフレームに後続する次の有効な制御チャネルサブフレームにおいて、前記モバイル装置宛ての制御情報が検出されないと判定した場合に、前記次の有効な制御チャネルのサブフレームに対応するアップリンクチャネルのサブフレーム内のフィードバック情報に割り当てられているスロットにおいて、前記モバイル装置からの任意の信号を受信するステップとを実行させることを特徴とするネットワークノード。
【請求項５５】
前記制御チャネルが、高速共有制御チャネル（ＨＳ−ＳＣＣＨ）を有している請求項５４に記載のネットワークノード。
【請求項５６】
前記フィードバック情報が、ハイブリッド自動繰り返し要求のアクノリッジ（ＨＡＲＱ−ＡＣＫ）を含んでいる請求項５４に記載のネットワークノード。
【請求項５７】
前記アップリンクチャネルが、高速専用の物理的制御チャネル（ＨＳ−ＤＰＣＣＨ）を有している請求項５４に記載のネットワークノード。
【請求項５８】
前記ダウンリンクチャネルが、高速ダウンリンク共有チャネル（ＨＳ−ＤＳＣＨ）を有している請求項５４に記載のネットワークノード。
【請求項５９】
前記ネットワークノードが、無線リソースコントローラ（ＲＲＣ）またはベーシックステーションコントローラ（ＢＳＣ）のいずれか一方を有している請求項５４に記載のネットワークノード。
【請求項６０】
前記モバイル装置が、携帯電話機である請求項５４に記載のネットワークノード。
【請求項６１】
内部に命令を格納している記憶媒体を有するネットワークノードであって、前記命令は、実行される際に、前記ネットワークノードに、
制御チャネルのサブフレームにおいて、モバイル装置宛ての制御情報を送信するステップと、
前記制御チャネルのサブフレームの直前の先行する制御チャネルサブフレームまたは前記先行する制御チャネルサブフレームに先行している制御チャネルのサブフレームを処理したフィードバックの情報結果として割り当てられているスロットにおいて、確認応答の送信信号の発生がないとき、かつ、アクノリッジ/ネガティブアクノリッジ（ＡＣＫ/ＮＡＣＫ）信号の送信回数ｎが１より大きい場合に、前記制御情報に関連するダウンリンクチャネルのデータに対する確認応答用信号の受信に関して規定されているアップリンクチャネルのサブフレームの直前における２つの先行するアップリンクチャネルのサブフレーム内のフィードバック情報に割り当てられている２つのスロットにおいて、前記モバイル装置からのネガティブアクノリッジ信号（ＮＡＣＫ信号）を受信するステップと、
前記制御情報により示されている前記ダウンリンクチャネルのデータを、前記モバイル装置に送信し、前記モバイル装置による前記ダウンリンクチャネルのデータの適切な受信結果に従って、アクノリッジ（ＡＣＫ）信号またはネガティブアクノリッジ（ＮＡＣＫ）信号を、前記モバイル装置から受信するステップと、
前記モバイル装置が、前記モバイル装置宛ての制御情報が検出されたサブフレームに後続する次の有効な制御チャネルのサブフレームにおいて、前記モバイル装置宛ての制御情報が検出されないと判定した場合に、前記次の有効な制御チャネルのサブフレームに対応する前記アップリンクチャネルのサブフレームから開始される、ｎ個のサブフレームの各々におけるフィードバック情報に割り当てられているスロットで、前記モバイル装置からのネガティブアクノリッジ信号（ＮＡＣＫ信号）を受信するステップと、を実行させることを特徴とするネットワークノード。
【請求項６２】
前記制御チャネルが、高速共有制御チャネル（ＨＳ−ＳＣＣＨ）を有している請求項６１に記載のネットワークノード。
【請求項６３】
前記フィードバック情報が、ハイブリッド自動繰り返し要求のアクノリッジ（ＨＡＲＱ−ＡＣＫ）を含んでいる請求項６１に記載のネットワークノード。
【請求項６４】
前記アップリンクチャネルが、高速専用の物理的制御チャネル（ＨＳ−ＤＰＣＣＨ）を有している請求項６１に記載のネットワークノード。
【請求項６５】
前記ダウンリンクチャネルが、高速ダウンリンク共有チャネル（ＨＳ−ＤＳＣＨ）を有している請求項６１に記載のネットワークノード。
【請求項６６】
前記モバイル装置が、携帯電話機である請求項６１に記載のネットワークノード。
【請求項６７】
前記ネットワークノードが、無線リソースコントローラ（ＲＲＣ）またはベーシックステーションコントローラ（ＢＳＣ）のいずれか一方を有している請求項６１に記載のネットワークノード。
【請求項６８】
ネットワークノード内におけるアップリンク信号の検出を改善する方法であって、前記方法は、
制御チャネルのサブフレームにおいて、モバイル装置宛ての制御情報を前記モバイル装置に送信するステップと、
前記制御情報と関連するダウンリンクチャネルのデータに対するアクノリッジ（ＡＣＫ信号）信号またはネガティブアクノリッジ（ＮＡＣＫ）信号の受信に関して規定されている、アップリンクチャネルのサブフレームの直前のサブフレーム内のフィードバック情報に割り当てられているスロットにおいて、前記モバイル装置からの任意の信号を受信するステップと、
前記制御情報により示されている、前記ダウンリンクチャネルのデータを前記モバイル装置に送信し、前記モバイル装置による前記ダウンリンクチャネルのデータの適切な受信結果に従って、前記モバイル装置から、アクノリッジ（ＡＣＫ）信号またはネガティブアクノリッジ（ＮＡＣＫ）信号を受信するステップと、
前記モバイル装置が、前記モバイル装置宛ての制御情報が検出されたサブフレームに後続する次の有効な制御チャネルサブフレームにおいて、前記モバイル装置宛ての制御情報が検出されないと判定した場合に、前記次の有効な制御チャネルのサブフレームに対応するアップリンクチャネルのサブフレーム内のフィードバック情報に割り当てられているスロットにおいて、前記モバイル装置からの任意の信号を受信するステップと、を有することを特徴とするネットワークノード内におけるアップリング信号の検出を改善する方法。
【手続補正書】
【提出日】平成18年2月9日(2006.2.9)
【手続補正１】
【補正対象書類名】図面
【補正対象項目名】図３
【補正方法】変更
【補正の内容】
【図３】
2006515139.tif 000014
【手続補正２】
【補正対象書類名】図面
【補正対象項目名】図４
【補正方法】変更
【補正の内容】
【図４】
2006515139.tif 000015
【手続補正３】
【補正対象書類名】図面
【補正対象項目名】図６
【補正方法】変更
【補正の内容】
【図６】
2006515139.tif 000016
【国際調査報告】
2006515139.tif 000017
2006515139.tif 000018